(57)【要約】【課題】  映像規格によらず、表示領域を容易に拡張可能な表示システムを実現する。【解決手段】  表示装置１は、一列に配置されかつ直列に接続された複数の表示パネル１１及び該表示パネル１１を直列に接続するためのコネクタを有する。映像蓄積部３３は、表示装置１で表示すべき映像全体を複数の領域に区分した複数の領域映像情報を蓄積する。パネル接続検知部２１は、コネクタの接続状態をもとに表示パネル１１の接続数を検知し、接続数を映像提供装置３に送信して映像情報の提供を要求する。映像選択部３２は、上記要求に応じて映像蓄積部３３から接続数に対応する領域映像情報を選択して表示制御装置２に送信する。映像出力部２３は、送信された領域映像情報を表示パネル１１に出力する。【選択図】      図１
2009237375.tif 000002
【特許請求の範囲】
【請求項１】
一列に配置されかつ直列に接続された複数の表示パネル及び該表示パネルを直列に接続するためのコネクタを含む表示装置と、
前記表示装置で表示すべき映像全体を複数の領域に区分した複数の領域映像情報を蓄積する蓄積部と、
前記コネクタの接続状態をもとに前記表示パネルの接続数を検知する検知部と、
前記蓄積部から前記接続数に対応する領域映像情報を選択する選択部と、
選択された前記領域映像情報を前記表示パネルに出力する出力部と
を具備することを特徴とする表示システム。
【請求項２】
一列に配置されかつ直列に接続された複数の表示パネル及び該表示パネルを直列に接続するためのコネクタを含む表示装置に映像を表示させる表示制御装置であって、
前記コネクタの接続状態をもとに前記表示パネルの接続数を検知する検知部と、
前記表示装置で表示すべき映像全体が複数の領域に区分された複数の領域映像情報のうち前記接続数に対応する領域映像情報を前記表示パネルに出力する出力部と
を具備することを特徴とする表示制御装置。
【請求項３】
前記出力部は、取得された前記領域映像情報を前記複数の表示パネルの中心位置からの距離に応じて前記表示パネルに出力することを特徴とする請求項２記載の表示制御装置。
【請求項４】
前記出力部は、前記領域映像情報に予め付加された映像優先順位にしたがって前記表示パネルに出力することを特徴とする請求項２記載の表示制御装置。
【請求項５】
一列に配置されかつ直列に接続された複数の表示パネル及び該表示パネルを直列に接続するためのコネクタを含む表示装置に表示する映像を提供する映像提供装置であって、
前記表示装置で表示すべき映像全体を複数の領域に区分した複数の領域映像情報を蓄積する蓄積部と、
前記表示パネルの接続数に従って前記蓄積部から前記接続数に対応する領域映像情報を前記表示装置へ提供する映像として選択する選択部と
を具備することを特徴とする映像提供装置。
【請求項６】
前記蓄積部は、前記複数の領域映像情報の各々に対して映像優先順位を付加して蓄積し、
前記選択部は、前記映像優先順位に従って前記蓄積部から前記接続数に対応する領域映像情報を前記表示装置へ提供する映像選択することを特徴とする請求項５記載の映像提供装置。
【発明の詳細な説明】
【技術分野】
【０００１】
この発明は、複数の表示パネルに映像を表示する表示システムとその表示制御装置及び映像提供装置に関する。
【背景技術】
【０００２】
現在広く用いられている大画面を実現する表示装置においては、所望の画面サイズにて形成したＬＣＤ（Liquid Crystal Display）、ＰＤＰ（Plasma Display Panel）などのフラットパネルディスプレイ（ＦＰＤ）やリアプロジェクション、ＬＥＤを各画素に配置したＬＥＤディスプレイなどが用いられている。これらは、製造段階にて規定された画面サイズ、例えば、対角５０インチや１００インチなどに従い製造されている。
【０００３】
これに対して、製造時には規格化された画面サイズにてディスプレイデバイスの製造を行い、設置環境に応じてディスプレイデバイスを複数枚、タイルのように並べて一体化するような表示装置が検討されている（例えば、特許文献１を参照。）。各ディスプレイデバイスはそれぞれ割り当てられたＩＤを所有しており、このＩＤに応じて各ディスプレイデバイスへ伝送すべき映像信号を個別に伝送しており、例えばパーソナルコンピュータなどの制御装置を用いて、各ディスプレイデバイスに表示すべき映像信号を分割することにより一連の連続した映像環境を実現している。したがって、元となる映像ソースについては、例えば、ＶＧＡ、ＸＧＡ、ＨＤなどのように企画化された予め規定された精細度をもとに、これを分割表示する方式となっている。
【０００４】
しかしながら、上記に示される表示システムにおいては、予め決められた精細度規格に基づく映像配信に限定されずに、表示装置の設置環境に応じて精細度や表示範囲を自由に決定できない。すなわち、ディスプレイデバイス自体は、規格化された精細度や画面サイズに制限されるものの、これをタイリングによって並べることにより、より自由度の高い画面サイズや精細度を実現可能であるが、表示システム、伝送方式、及び、画像蓄積手段が規格化された精細度に制限されているため、これら表示装置としての自由度を活かすことが難しいという課題がある。
【０００５】
また、現行の映像伝送や蓄積手段においては、例えば精細度が１９２０×１０８０×ＲＧＢで画格が１６：９のハイビジョンといったような企画化されたフォーマットに基づいたものとなっており、規格に合わない表示装置については、規格に合わせた映像の拡大縮小などにより表示する方法しかない。また、今後、ハイビジョンを超えた映像伝送方式についても、例えば、シネマ規格やスーパーハイビジョンなどと言った方式の提案がなされているが、これらについても精細度は向上した映像伝送が可能になるものの、その任意性については、予め決められた精細度の範囲内での精細度情報しか表示装置に実現することしかできない。
【０００６】
さらに、例えばインターネットを用いた映像伝送のような場合でも、規格化された映像リソース全体の配信が必要となる。したがって、使用環境では必要としない映像リソースについても包含された状態で映像伝送が行われるため、必要のないトラフィックを含んだ状態で伝送されることになる。このため、不必要な映像信号のために通信量は膨大なものとなり、通信インフラストラクチャに過度の負荷をかけることになる。
【特許文献１】特開２００１−１６６７５９公報
【発明の開示】
【発明が解決しようとする課題】
【０００７】
上述したように、通常のタイリング方式の表示システムでは、各ディスプレイデバイスのＩＤや位置情報などを予め制御装置に設定する必要があるため、表示領域の拡張などを行う際に手間を要する。また、表示領域にかかわらず映像全体の映像情報が伝送されるため、ネットワークに過度の負荷がかかるという問題がある。
【０００８】
この発明は上記事情に着目してなされたもので、その目的とするところは、映像規格によらず、表示領域を容易に拡張することができる表示システムとその表示制御装置及び映像提供装置を提供することにある。
【課題を解決するための手段】
【０００９】
上記目的を達成するためにこの発明に係る表示システムは、一列に配置されかつ直列に接続された複数の表示パネル及び該表示パネルを直列に接続するためのコネクタを含む表示装置と、前記表示装置で表示すべき映像全体を複数の領域に区分した複数の領域映像情報を蓄積する蓄積部と、前記コネクタの接続状態をもとに前記表示パネルの接続数を検知する検知部と、前記蓄積部から前記接続数に対応する領域映像情報を選択する選択部と、選択された前記領域映像情報を前記表示パネルに出力する出力部とを具備するものである。
【００１０】
また、この発明に係る表示制御装置は、一列に配置されかつ直列に接続された複数の表示パネル及び該表示パネルを直列に接続するためのコネクタを含む表示装置に映像を表示させる表示制御装置であって、前記コネクタの接続状態をもとに前記表示パネルの接続数を検知する検知部と、前記表示装置で表示すべき映像全体が複数の領域に区分された複数の領域映像情報のうち前記接続数に対応する領域映像情報を前記表示パネルに出力する出力部とを具備する。
【００１１】
また、この発明に係る映像提供装置は、一列に配置されかつ直列に接続された複数の表示パネル及び該表示パネルを直列に接続するためのコネクタを含む表示装置に表示する映像を提供する映像提供装置であって、前記表示装置で表示すべき映像全体を複数の領域に区分した複数の領域映像情報を蓄積する蓄積部と、前記表示パネルの接続数に従って前記蓄積部から前記接続数に対応する領域映像情報を前記表示装置へ提供する映像として選択する選択部とを具備する。
【発明の効果】
【００１２】
したがってこの発明によれば、映像規格によらず、表示領域を容易に拡張することができる表示システムとその表示制御装置及び映像提供装置を提供することができる。
【発明を実施するための最良の形態】
【００１３】
以下、図面を参照しながら本発明の実施の形態を詳細に説明する。  
図１は、本発明に係る表示システムの一実施形態を示す機能ブロック図である。  
このシステムは、複数の表示パネル１１を有する表示装置１と、表示制御装置２と、映像提供装置３とを備える。表示制御装置２と映像提供装置３との間は例えばインターネットなどの伝送路により接続され、表示制御装置２は、映像提供装置３から提供される映像を表示装置１に表示させる。
【００１４】
表示装置１は、図２に示すように、例えば、一列に配置された同一画面サイズの複数の表示パネル１１からなる。図３に表示装置１のデバイス構成例を示す。各表示パネル１１には、当該表示パネル１１を直列に接続するためのコネクタ１２と、パネル動作用プロセッサ１３とが設けられている。表示パネル１１間は、コネクタ１２を介して接続されている。また、電源バスライン１４、映像シグナルライン１５、及び映像分割制御ライン１６のそれぞれが、本コネクタ１２を介して接続される。
【００１５】
各表示パネル１１には、電源バスライン１４を介して電源４から駆動電力が供給される。表示制御装置２から出力された映像信号は、映像シグナルライン１５を介して各表示パネル１１に入力され、パネル動作用プロセッサ１３により映像表示処理が行われる。映像分割制御ライン１６は、表示パネル１１の接続数を検知するために設けられる。例えば、映像分割制御ライン１６のコネクタ１２に直列に介在することになる抵抗器や並列に介在することになる容量（コンデンサ）などの受動素子を付加することにより、その全抵抗値や全容量値を検知することで全接続数が検知できる。また、計数検知可能なデジタル回路をコネクタ１２内に内在させても良い。したがって、使用者が任意数の表示パネル１１を接続しても、特別な設定を行うことなく、接続数を検知可能となる。
【００１６】
表示制御装置２は、入出力インタフェース２１と、パネル接続検知部２２と、映像出力位置演算部２３と、映像出力部２４と、第１の通信インタフェース２５とを備える。入出力インタフェース２１は、例えばデジタルビジュアルインタフェース（ＤＶＩ）などに代表される映像入出力規格化されたインタフェースであり、表示装置１との間で信号の入出力を行うために用いられる。第１の通信インタフェース２５は、映像提供装置３との間で伝送路を介して通信するために使用される。
【００１７】
ここで、パネル接続検知部２２は、映像分割制御ライン１６により表示パネル１１の接続数を検知する機能を有する。映像出力位置演算部２３は、表示パネル１１の接続数に応じて映像の出力位置を演算する。映像出力部２４は、映像提供装置３から得られた映像情報を上記演算された出力位置に応じて、すなわち、表示パネルの接続位置に応じて、各表示パネル１１に出力する。
【００１８】
映像提供装置３は、第２の通信インタフェース３１と、接続数受信部３２と、映像選択部３３と、映像蓄積部３４とを備える。第２の通信インタフェース３１は、表示制御装置２との間で伝送路を介して通信するために使用される。接続数受信部３２は、表示制御装置２から送信される接続数や映像規格といった映像表示に必要な表示仕様（解像度や画素数など）を第２の通信インタフェース３１により受信する。映像蓄積部３４には、例えば、表示装置１で表示すべき映像全体を表示パネル１１の表示仕様に応じて複数の領域に区分した複数の領域映像情報を蓄積する。この領域映像情報は、例えば、予めビデオカメラなどで撮影したもの、コンピュータグラフィックス（ＣＧ）にて作成したものである。また、各領域映像情報には、例えば予めビデオカメラの撮影者やＣＧ作成者により映像優先順位が付加されており、各領域映像情報に対応付けられて記憶される。映像選択部３３は、上記受信された接続数に対応する領域映像情報を映像蓄積部３４から選択して第２の通信インタフェース３１により表示制御装置２に伝送路を介して送信する。
【００１９】
次に、このように構成された表示システムの動作について説明する。図４は、表示制御装置２及び映像提供装置３の動作の手順とその内容を示すフローチャートである。  
表示制御装置２は、電源投入されるとイニシャライズ処理を行い、表示パネル１１の接続数ｎを０に初期化する（ステップＳ４ａ）。そして、パネル接続検知部２２により表示パネル１１の接続数の検知を行う。上述したように、映像分割制御ライン１６の各コネクタには抵抗器や容量（コンデンサ）が付加されており、映像分割制御ライン１６の抵抗値または容量値をもとに接続端を検知する（ステップＳ４ｂ）。コネクト終端まで上記検知処理を行い、全抵抗値や全容量値を検知することにより、表示パネル１１の接続数ｎが求められる（ステップＳ４ｃ：ＹＥＳ）。このようにすることで、表示パネル１１毎にＩＤや接続位置の設定を行うことなく全表示装置数が検知可能になる。したがって、使用者が任意数の表示装置を並べて設置しても、特別な設定なく表示パネル１１の接続数ｎを検知可能となる。
【００２０】
次に、映像出力位置演算部２３は、上記検知された接続数ｎをもとに各表示パネル１１に対して表示順序を付与する（ステップＳ４ｄ）。このとき、ｎ／２番目（小数点以下は切り上げ）に設置された表示パネル１１が一列に配置された表示パネル１１群の中心位置を占めることになる。そこで、中心位置をｎ／２と設定することが可能であり、ｎ／２番目の表示パネルを１として、このパネルから隣り合う順番に左右交互に２，３，４・・・と表示順序を設定する。ｎが奇数の場合、例えばｎ＝５の場合は、ｎ／２＝２．５となり３番目のパネルを中心位置とする。また、ｎが偶数の場合、例えばｎ＝４の場合は、ｎ／２＝２となり２番目のパネルを中心位置に設定する。表示制御装置２は、パネル接続検知部２２で検知された接続数ｎと表示仕様を表す情報を映像提供装置３に送信して映像情報の提供を要求する。（ステップＳ４ｅ）。
【００２１】
一方、映像提供装置３では、接続数受信部３２において上記送信された接続数ｎと表示仕様を表す情報が受信され、受信された情報に応じて映像蓄積部３４から接続数ｎに対応する領域映像情報を選択する（ステップＳ４ｆ）。このとき、領域映像情報に付加された映像優先順位の高いものから順に選択する。映像蓄積部３４においては、ビデオ撮影者やＣＧ作成者が予め設定した映像領域と領域数ｍ、その映像優先順位を参照可能である。一般的に、ビデオ撮影者やＣＧ作成者は、映像の中心にもっとも重要な内容やコンテンツを配置する場合が多い。例えば山の風景においては、山頂を中心として稜線が左右に広がるような配置である。したがって、本実施形態では、各映像領域については、中心から対称に順に映像優先順位を付すものとする。ここで、対称順は左右としても良いし右左としても良い。また、この左右、右左を表す情報を映像優先順位に含めても良いし、別途、情報提供しても良い。さらに、左右または右左については事前に規格化することも可能である。また、領域数ｍが接続数ｎより大きい（ｍ＞ｎ）の場合においては、予め設定された映像優先順位にしたがってｎの領域映像情報を抽出し、映像優先順位を表す情報とともに領域映像情報を表示制御装置２に送信する（ステップＳ４ｇ）。
【００２２】
表示制御装置２は、上記映像提供装置３から送信される映像優先順位が付されたｎ個の領域映像情報を受信する（ステップＳ４ｈ）。そして、表示制御装置２は、上記ステップＳ４ｄで設定した表示順序と映像優先順位とを一致させるように、領域映像情報を各表示パネル１１に割り当てる（ステップＳ４ｉ）。すなわち、上記設定された中心位置に対応する表示パネル１１に映像優先順位が最も高い領域映像情報が割り当てられる。これにより、映像出力部２４により、各領域映像情報を上記付与された映像優先順位とともに伝送を行うことで、各表示パネル１１に所望の映像情報が伝送される（ステップＳ４ｊ）。
【００２３】
したがって、本表示システムによれば、特別な設定等を必要とせずに任意の数の表示パネルを設置した環境において、映像作成者又は映像配信者が所望する映像情報を中心位置に表示することが可能になる。
【００２４】
図５乃至図８は、上記処理による映像情報の表示例を模式的に示したものである。図５は映像情報の全体を示す。通常のタイリング方式の表示システムでは、表示範囲にかかわらず、図５で示されるような映像情報全体を伝送経路に配信し、表示装置の精細度情報や画格情報をもとに演算処理して映像情報の一部を出画、あるいは拡大・縮小して出画を行っている。このため、映像作成者や映像配信者の意図と異なった表示となってしまう場合がある。
【００２５】
一方、本発明においては、映像全体が表示パネルの表示仕様に応じて複数の領域映像に区分されている。例えば、図６は、図５に示す映像全体が破線の箇所で５領域に区分されている状態を示す。すなわち、図６における破線は、複数の領域映像の境界を示している。図６において、各領域映像に付された数字が映像優先順位であり、「１」が最優先の領域映像を示すものとする。このように、映像情報が予め区分された領域にわかれており、この領域それぞれに映像優先順位が設定されているため、所望の領域を優先的に表示することが可能となる。したがって、表示システムが図６における１領域分を設定している場合（例えば表示システムが表示パネル１１を１枚しか有していない場合等）には、図７に示すような映像が表示可能であり、表示システムが３領域分を設定している場合（例えば表示システムが表示パネル１１を３枚有していない場合等）には、図８に示すような映像が表示可能となる。
【００２６】
以下、本実施形態に係る表示システムの具体的な適用例について、各実施例にしたがって説明する。なお、図１と同一部分には同一符号を付し、詳しい説明は省略する。
【００２７】
（実施例１）  
実施例１は、インターネットなどの広域通信網上の映像サーバから取得された映像を複数の表示パネルからなる表示装置に表示するものである。
【００２８】
図９は、実施例１におけるシステム構成を示す模式図である。図９において、映像提供装置３は、インターネット上に配置された映像サーバ３Ａとして構成される。映像サーバ３Ａは、インターネットを介して表示制御装置２と接続され、撮像系により撮像された映像を表示制御装置２に送信する。現在インターネットを介した情報伝達においては、光通信網の発達により、より多くの情報が伝送可能となっている。したがって、基幹網から直接接続された光通信網においては、例えばハイビジョンクラスの映像情報を複数枚以上伝送することも可能となりつつある。また、映像を処理する集積回路についても、同時に複数毎以上の処理が可能となっている。
【００２９】
表示制御装置２は、電源投入後、映像分割制御ライン１６のコネクタの接続状態をもとに表示パネル１１の接続数を検知し、接続数を映像サーバ３Ａに送信して映像情報の提供を要求する。映像サーバ３Ａには、撮影者などが撮像映像を予め複数の領域に区分した複数の領域映像情報が映像優先順位と共に蓄積されている。映像サーバ３Ａは、この要求に応じて、上記複数の領域映像情報のうち、接続数に対応する領域映像情報を映像優先順位にしたがって選択して表示制御装置２に送信する。表示制御装置２は、インターネットを介して上記送信された領域映像情報を受信し、接続数をもとに付与される表示順序にしたがって受信した領域映像情報を表示パネル１１に出力する。なお、領域映像情報には映像優先順位が付加されているため、映像優先順位と上記表示順序とが一致するように領域映像情報を表示パネル１１に出力するようにする。
【００３０】
上記表示システムにより可能となる映像環境の模式例を図１０乃至図１２に示す。このシステムでは、表示装置の設置状況により異なる映像環境が設定可能である。表示パネルの設置枚数が多い場合には、図１０のような映像環境が設定可能である。これに対して表示パネル数が少なくなるにつれて図１１及び図１２のような映像環境となるが、本実施形態では、コンテンツ作成者が意図している中心となるべき領域（図１０乃至図１２中の頂点Ｐに相当）については、どのような設置環境においても表示可能である。また、本実施形態では、表示パネル数を自動的に検知するため、表示パネルを接続する際に特別な設定なく表示領域の拡張が可能である。例えば、導入時は、図１２のような基本システムを導入し、設置者の意向に応じて表示パネルを増やしていくことで、図１０のような映像環境を構築することも可能である。
【００３１】
（実施例２）  
実施例２は、衛星放送などのチャネル番号に区分された映像を複数の表示パネルにそれぞれ割り当てて表示するものである。
【００３２】
図１３は、実施例２におけるシステム構成を示す模式図である。図１３において、このシステムは、映像を伝送する放送網を備え、映像提供装置３は、放送受信設備３Ｂとして構成される。表示制御装置２は、表示パネル１１の接続数を放送受信設備３Ｂに送信して映像情報の提供を要求する。放送受信設備３Ｂは、この要求に応じて、表示パネル１１の接続数に対応するチャネル数の映像を受信して表示制御装置２に送信する。
【００３３】
現在の放送網においては、地上波放送及び衛星放送ともにデジタル化が進み、従来のアナログ波と比較して格段に多くの映像情報が配信可能となっている。例えば衛星放送においては３桁の数字といったチャネル番号を割り当てることが可能であるため、上位２桁を基本番号として下位１桁に領域区分された映像情報を割り当てることも可能である。例えば、５５１から５５９のチャネル番号に映像区分された映像信号を割り当て、５５１から順に優先度に応じて９領域に区分された映像情報を同時配信が可能である。したがって、表示装置の設置状況に応じて、例えば表示装置として３つの表示パネル１１が設置された映像環境下では、５５１から５５３の映像情報を５５２、５５１、５５３の順で伝送表示が可能となる。
【００３４】
表示制御装置２は、電源投入後、映像分割制御ライン１６のコネクタの接続状態をもとに表示パネル１１の接続数を検知し、接続数を放送受信設備３Ｂに送信して映像情報の提供を要求する。放送受信設備３Ｂは、この要求により接続数を受信すると、接続数に対応する数の受信チャネルを設定する。すなわち、表示パネル１１の接続数が５と検知された場合には、例えばチャネル番号５５１から５５９の９チャネルのうち、予め決められた映像優先順位に基づいてチャネル番号５５１、５５２、５５３、５５４、５５５の５チャネルの映像信号を受信する。放送受信設備３Ｂは、受信された映像信号に優先順位情報である各チャネル番号の下１桁情報を映像優先順位として映像情報に付加した後、表示制御装置２に送信する。これにより放送事業者が予め設定した映像領域と領域数、その映像優先順位を参照可能である。表示制御装置２は、上記受信された映像情報を受信し、接続数から付与される表示順序にしたがって、受信した映像情報を映像優先順位の順に表示パネル１１に出力する。
【００３５】
上記実施例２を用いた場合でも、その効果として、上記実施例１に示すような、例えば図１０から図１２に示すような映像環境が実現可能であり、その展開性についても同様な映像環境の構築が可能である。
【００３６】
（実施例３）  
実施例３は、映像記録媒体に記録された映像を複数の表示パネルにそれぞれ割り当てて表示するものである。
【００３７】
図１４は、実施例３におけるシステム構成を示す模式図である。映像提供装置３は、映像記録媒体が挿入可能な映像記録装置３Ｃにより構成される。映像記録媒体としては、ＤＶＤ（Digital Video Disk）や、一時保存媒体としてハードディスクやＳＤカードなどが広く用いられている。これら記録媒体を活用した場合においても、映像全体を複数の領域に区分した複数の領域映像情報に対して映像優先順位を付与して記録することは可能である。このシステムの場合、表示制御装置２は映像記録装置３Ｃと直接接続されていることになる。したがって、上記実施例１のように、双方向通信を用いて表示パネル１１の接続数を伝送する範囲は、設置環境内に限定されることになる。
【００３８】
このような構成において、表示制御装置２は、電源投入後、映像分割制御ライン１６のコネクタの接続状態をもとに表示パネル１１の接続数を検知し、接続数を映像記録装置３Ｃに送信して映像情報の提供を要求する。映像記録装置３Ｃは、この要求により接続数を受信すると、映像記録媒体から接続数に対応する領域映像情報を映像優先順位にしたがって選択して表示制御装置２に供給する。表示制御装置２は、映像記録装置３Ｃから供給された領域映像情報を受信し、受信した領域映像情報を接続数から付与される表示順序にしたがって映像優先順位の高いものから順に表示パネル１１に出力する。
【００３９】
上記実施例３を用いた場合でも、その効果として、上記実施例１に示すような、例えば図１０から図１２に示すような映像環境が実現可能であり、その展開性についても同様な映像環境の構築が可能である。
【００４０】
また、実施例３の応用例として、ホームサーバシステムを構築することもできる。例えば、図１５に示すように、映像信号の伝送量及び伝送速度に応じて映像サーバから映像を取得し、より高速な一時記録媒体に映像情報を事前に蓄積した後に、表示制御装置２の制御により映像記録装置３Ｃから表示装置１に映像情報を伝送することも可能である。
【００４１】
以上述べたように上記実施形態では、検知された表示パネルの接続数に応じて表示領域が可変になり、接続数をもとに表示順序を付与し、中心に位置する表示パネルから順に映像が出力される。また、領域映像情報に映像優先順位を付加しておくことで、表示パネルの数が領域映像情報の総数より少ない場合でも、所望の映像を優先して表示させることができる。
【００４２】
したがって、上記実施形態によれば、映像規格によらず、表示領域を任意に拡張可能な表示システムを実現することが可能となる。また、表示パネル数はコネクタの接続状態により検知されるため、表示パネルにＩＤや位置情報などの特別な設定を行う必要はなく、容易に表示エリアの拡張が可能となる。また、映像提供装置３から表示制御装置２への映像伝送においては、表示パネル数に対応する映像情報のみが伝送されるため、伝送時の無駄なトラフィックを低減することができる。
【００４３】
なお、この発明は、上記実施形態そのままに限定されるものではない。例えば、上記実施形態では、表示パネルの接続数を検知するために映像分割ライン１４を別途設けたが、電源バスライン１４により併用することもできる。映像分割ライン１４と場合と同様に、電源バスライン１４のコネクタに抵抗器または容量を付加することで実現できる。
【００４４】
また、上記実施形態では、映像出力位置演算部２３において、表示パネルの接続数に基づいて中心位置の表示パネルから順に表示順序を付すように構成したが、これに限らず、左側からまたは右側から順に表示順序を付してもよく、ユーザにより任意に設定できるものとする。
【００４５】
すなわち、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４６】
【図１】本発明に係る表示システムの一実施形態を示す機能ブロック図。
【図２】表示パネルの配置例を示す図。
【図３】表示装置のデバイス構成例を示す図。
【図４】表示システムの動作を示すフローチャート。
【図５】映像コンテンツの一例を示す図。
【図６】図５に示した映像コンテンツの領域区分例を示す図。
【図７】表示パネル数ｎ＝１の場合の表示例を示す図。
【図８】表示パネル数ｎ＝３の場合の表示例を示す図。
【図９】実施例１におけるシステム構成を示す模式図。
【図１０】実施例１における実現可能な映像環境の一例を示す図。
【図１１】実施例１において実現可能な映像環境の他の例を示す図。
【図１２】実施例１において実現可能な映像環境の他の例を示す図。
【図１３】実施例２におけるシステム構成を示す模式図
【図１４】実施例３におけるシステム構成を示す模式図。
【図１５】実施例３におけるシステム構成の他の例を示す模式図。
【符号の説明】
【００４７】
１…表示装置、１１…表示パネル、２…表示制御装置、２１…入出力インタフェース、２２…パネル接続検知部、２３…映像出力位置演算部、２４…映像出力部、２５…第１の通信インタフェース、３…映像提供装置、３１…第２の通信インタフェース、３２…接続数受信部、３３…映像選択部、３４…映像蓄積部、１２…コネクタ、１３…パネル動作用プロセッサ、１４…電源バスライン、１５…映像シグナルライン、１６…映像分割制御ライン、４…電源。
【図１】
2009237375.tif 000003
【図２】
2009237375.tif 000004
【図３】
2009237375.tif 000005
【図４】
2009237375.tif 000006
【図５】
2009237375.tif 000007
【図６】
2009237375.tif 000008
【図７】
2009237375.tif 000009
【図８】
2009237375.tif 000010
【図９】
2009237375.tif 000011
【図１０】
2009237375.tif 000012
【図１１】
2009237375.tif 000013
【図１２】
2009237375.tif 000014
【図１３】
2009237375.tif 000015
【図１４】
2009237375.tif 000016
【図１５】
2009237375.tif 000017